(57)【特許請求の範囲】
【請求項１】
金属製の外装チューブと、該外装チューブの内側に密着して設けられる合成樹脂製の内装チューブとから構成される二重チューブにおいて、
前記外装チューブは、テーパー状の肩部上端において口部が切断された形状を呈しており、
前記内装チューブは、口部に雄ねじが形成されており、かつ、肩部上端または口部雄ねじ部下端に、外装チューブの肩部上端をアンダーカット方式により嵌入・係止する嵌入部が形成されており、
前記外装チューブの肩部から上方に、内装チューブの口部ねじ部が露出するように、前記外装チューブと内装チューブとが密着状態で組付けられた、二重チューブ。
【請求項２】
口部の雄ねじと螺合する雌ねじを有するキャップを備えており、
前記内装チューブの口部の先端部が、キャップ天面またはキャップ天面に形成したリング状突起部と当接する、請求項１記載の二重チューブ。
【発明の詳細な説明】
【０００１】
【発明の属する技術分野】
この発明は二重チューブに関し、さらに詳しくは製造工程において、外装チューブと内装チューブとの組付作業が頗る簡単であり、かつ部品点数の少ない二重チューブに関する。
【０００２】
【従来の技術】
従来、染毛剤チューブは通常第１剤と第２剤とが、各々別のチューブに収納され、対になってセットとして販売されている。第１剤は塩基性酸化染料が主剤であり、気体および液体を通さない密閉された金属チューブ内に収納され、第２剤は第１剤の染料を酸化重合させる目的を持った、過酸化水素が主剤であり、金属製の外装チューブの内側に、気体を通すが液体を通さない性質を有する合成樹脂製の内装チューブを嵌装した、二重チューブ内に収納されている。このような二重チューブは、前記した染毛剤を収納する他、接着剤を収納するチューブ容器として用いられている。接着剤を収納する容器としてのチューブ容器は、遮光性、バリヤー性等が要求されると共に、接着剤と金属製チューブとの直接の接触を防止するため、金属製の外装チューブの内側に、合成樹脂製の内装チューブが挿入された二重チューブが用いられる。
【０００３】
このような従来の二重チューブとしては、図７および図８に示すようなものがある。図中、５０はアルミニウム等の金属材料で造られ、口部、肩部および胴部が一体的に形成された外装チューブである。この外装チューブ５０の内側には、ポリエチレン等の合成樹脂で造られ、口部、肩部および胴部が一体的に形成された内装チューブ５１が嵌装されている。そして、図８に示すように内装チューブ５１の口部先端５１ａは、外装チューブ５０の口部５２先端を包み覆うように外方に折り曲げられ、その上から中栓体５３が圧入されている。そして、この中栓体５３にはキャップ５４が螺合されている。このように、口部先端５１ａを外方に折り曲げて覆うことにより、内容物が金属部分の口部５２に付着し、口部５２が腐食するのを防止することができる。また、中栓体５３の嵌着により、内容物である過酸化水素が経時的に分解して発生する酸素を、口部５２から外部へ漏洩するのを防止する役割も果たしている。そして、従来は過酸化水素が分解して発生する酸素を、チューブ裾部５５から外部へ意図的に放出することにより、二重チューブが酸素で充満・加圧されて、破裂するのを防止していた。
【０００４】
【発明が解決しようとする課題】
しかしながら、このような発明にあっては以下に示す欠点がある。
（イ）外装チューブ５０と内装チューブ５１とを組付ける製造工程において、内装チューブ５１の口部先端５１ａで外装チューブ５０の口部５２先端を覆って、外方に折り曲げる作業および口部５２に中栓体５３を嵌着する作業を施す必要があり、頗る手数を要する。
（ロ）過酸化水素が経時的に分解して発生する酸素を、口部５２と中栓体５３との隙間から外部に放出することができず、酸素放出が不十分になる場合がある。（ハ）口部５２の外周に、内装チューブ５１の口部先端５１ａを折り曲げて係止する場合に、中栓体５３を嵌着しなければならないため、部品点数が多くなる。
【０００５】
この発明は、このような従来の課題に着目してなされたもので、外装チューブと内装チューブとを組付ける製造工程において、組付け作業が頗る簡単であり、染毛剤チューブとしては酸素を二重チューブの外に容易に放出できると共に、接着剤チューブとしては部品点数の少ない安価な二重チューブを提供することを目的とする。
【０００６】
【課題を解決するための手段】
この課題を解決するため、この発明は、金属製の外装チューブと、該外装チューブの内側に密着して設けられる合成樹脂製の内装チューブとから構成される二重チューブにおいて、前記外装チューブは、テーパー状の肩部上端において口部が切断された形状を呈しており、前記内装チューブは、口部に雄ねじが形成されており、かつ、肩部上端または口部雄ねじ部下端に、外装チューブの肩部上端をアンダーカット方式により嵌入・係止する嵌入部が形成されており、前記外装チューブの肩部から上方に、内装チューブの口部ねじ部が露出するように、前記外装チューブと内装チューブとが密着状態で組付けられたことを特徴とする二重チューブである。また、このような二重チューブにおいて、口部の雄ねじと螺合する雌ねじを有するキャップを備えており、前記内装チューブの口部の先端部が、キャップ天面またはキャップ天面に形成したリング状突起部と当接するものであってもよい。
【０００７】
【発明の実施の形態】
次に、この発明を図面に基づいて説明する。図１および２は、本発明の二重チューブの実施例を示した図面であり、図中１はアルミニウム等の金属で造られて外装チューブであり、この外装チューブ１は、肩部１ａ上端において口部が切断された形状を呈している。
【０００８】
一方内装チューブ２は、ポリエチレン等の合成樹脂を用いて、インジェクションまたはブロー成形法等の方法で、胴部２ａ、肩部２ｂおよび口部２ｃが一体成形される。そして、肩部２ｂの上端または口部２ｃの雄ねじ部下端には、外装チューブ１の上部開口縁１ｂを嵌入・係止するための嵌入部２ｄが形成されている。この嵌入部２ｄに外装チューブ１の上部開口縁１ｂが確実に嵌入・係止されることにより、外装チューブ１と内装チューブ２とは密着状態で組付けられる。組付け後において、図１に示すように内装チューブ２の口部２ｃは、外装チューブ１の肩部１ａから上方に露出し、この露出した口部２ｃの外周に形成された雄ねじに、キャップ３の雌ねじが螺合されることにより、内装チューブ２の口部２ｃは閉鎖される。キャップ３を螺合した際、口部２ｃの先端はキャップ天面３ａのリング状突起部３ｂに当接する。
【０００９】
図３および図４は、本発明の範囲外の二重チューブを示した図面であり、本発明の二重チューブと異なる点は、本発明の二重チューブにおける外装チューブ１の上部開口縁１ｂの上方に、口部１ｃを形成すると共に、口部１ｃの外周に雄ねじを形成した点にある。そして、内装チューブ２の口部２ｃを外装チューブ１の口部１ｃから露出せしめ、この雄ねじにキャップ３の雌ねじが螺合することにより、内装チューブ２の口部２ｃは閉鎖される。キャップ３を螺合した際、口部２ｃの先端はキャップ天面３ａのリング状突起部３ｂに当接する。図５は、本発明の範囲外の二重チューブを示した図面であり、内装チューブ２の上方にノズル部４が一体成形により造られ、ノズル部４が外装チューブ１の口部１ｃから上方に露出している。また、ノズル部４の先端は、使用時まで密封性を保持できる様に閉鎖され、使用時には適宜切断して使用する。図６は、本発明の二重チューブの範囲外を示した図面であり、外装チューブ１の口部が上方まで延長されて上部開口端１ｄが形成され、この上部開口端１ｄから、内装チューブ２のノズル部４の先端がわずかに露出している点にある。その他の構成および使用方法は図５の二重チューブと同様である。
【００１０】
【作用】
以上のような構成をもった、この発明の作用について説明する。内装チューブの口部外周に雄ねじが形成され、かつこの雄ねじとキャップの雌ねじとが螺合する本発明の二重チューブにあっては、外装チューブの上部開口縁が、内装チューブの肩部上端または口部の雄ねじ部下端に形成した嵌入部に、所謂アンダーカット方式により確実に嵌入・係止されている。そして、外装チューブと内装チューブとが確実に固定されている。本発明に係る二重チューブは、内装チューブの口部が外装チューブから露出するため、二重チューブ内において発生した酸素を、二重チューブの裾部からのみならず、内装チューブの口部から透過して、外部に放出することができるので効率的な放出が可能となる。
【００１１】
【発明の効果】
以上説明してきたように、この発明によれば製造工程において外装チューブと内装チューブとの組付作業が頗る容易であり、また内装チューブの口部から酸素を外部に効率的に放出できる効果を奏する。さらに中栓体を口部に嵌着する必要がないので、二重チューブを構成する部品を削減でき、安価な二重チューブを提供できる。
【図面の簡単な説明】
【図１】この発明に係る二重チューブを示す正面断面図。
【図２】この発明に係る二重チューブを構成する部品を示した分解断面図。
【図３】この発明の範囲外に係る二重チューブを示す正面断面図。
【図４】この発明の範囲外に係る二重チューブを構成する部品を示した分解断面図。
【図５】この発明の範囲外に係る二重チューブを示す正面断面図。
【図６】この発明の範囲外に係る二重チューブを示す正面断面図。
【図７】従来の二重チューブの正面断面図。
【図８】従来の二重チューブを構成する部品を示した分解断面図。
【図１】
0003921640.tif 000002
【図２】
0003921640.tif 000003
【図３】
0003921640.tif 000004
【図４】
0003921640.tif 000005
【図５】
0003921640.tif 000006
【図６】
0003921640.tif 000007
【図７】
0003921640.tif 000008
【図８】
0003921640.tif 000009